【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
入力映像情報のレベルレンジを所定レベルレンジに変換するレベルレンジ変換ステップと、
当該レベルレンジ変換ステップによりレベルレンジを変換された映像情報を符号化する符号化ステップと、
当該符号化ステップで符号化された映像情報に当該所定レベルレンジを示す識別情報を付加する識別情報付加ステップ
とを具備することを特徴とする映像処理方法。
【請求項２】
当該入力映像情報にそのレベルレンジを示す識別情報が付加されており、
当該レベルレンジ変換ステップは、当該識別情報を検出するステップと、検出された当該識別情報に従い、入力映像情報のレベルレンジを所定レベルレンジに変換するステップとを具備する
ことを特徴とする請求項１に記載の映像処理方法。
【請求項３】
当該識別情報が、白レベルを示す情報と黒レベルを示す情報又は静止画か動画かを示す情報とを具備することを特徴とする請求項１又は２に記載の映像処理方法。
【請求項４】
入力映像情報のレベルレンジを所定レベルレンジに変換するレベルレンジ変換ステップと、
当該レベルレンジ変換ステップによりレベルレンジを変換された映像情報に、当該所定レベルレンジを示す識別情報を付加する識別情報付加ステップ
とを具備することを特徴とする映像処理方法。
【請求項５】
当該入力映像情報にそのレベルレンジを示す識別情報が付加されており、
当該レベルレンジ変換ステップは、当該識別情報を検出するステップと、検出された当該識別情報に従い、入力映像情報のレベルレンジを所定レベルレンジに変換するステップとを具備する
ことを特徴とする請求項４に記載の映像処理方法。
【請求項６】
当該識別情報が、白レベルを示す情報と黒レベルを示す情報又は静止画か動画かを示す情報とを具備することを特徴とする請求項４又は５に記載の映像処理方法。
【請求項７】
入力映像情報のレベルレンジを所定レベルレンジに変換するレベルレンジ変換手段と、
当該レベルレンジ変換手段によりレベルレンジを変換された映像情報を符号化する符号化手段と、
当該符号化手段で符号化された映像情報に当該所定レベルレンジを示す識別情報を付加する識別情報付加手段
とを具備することを特徴とする映像処理装置。
【請求項８】
当該入力映像情報にそのレベルレンジを示す識別情報が付加されており、
当該レベルレンジ変換手段は、当該識別情報を検出する手段と、検出された当該識別情報に従い、入力映像情報のレベルレンジを所定レベルレンジに変換する手段とを具備する
ことを特徴とする請求項７に記載の映像処理装置。
【請求項９】
当該識別情報が、白レベルを示す情報と黒レベルを示す情報又は静止画か動画かを示す情報とを具備することを特徴とする請求項７又は８に記載の映像処理装置。
【請求項１０】
入力映像情報のレベルレンジを所定レベルレンジに変換するレベルレンジ変換手段と、
当該レベルレンジ変換手段によりレベルレンジを変換された映像情報に、当該所定レベルレンジを示す識別情報を付加する識別情報付加手段
とを具備することを特徴とする映像処理装置。
【請求項１１】
当該入力映像情報にそのレベルレンジを示す識別情報が付加されており、
当該レベルレンジ変換手段は、当該識別情報を検出する手段と、検出された当該識別情報に従い、入力映像情報のレベルレンジを所定レベルレンジに変換する手段とを具備する
ことを特徴とする請求項１０に記載の映像処理装置。
【請求項１２】
当該識別情報が、白レベルを示す情報と黒レベルを示す情報又は静止画か動画かを示す情報とを具備することを特徴とする請求項１０又は１１に記載の映像処理装置。
【請求項１３】
入力映像情報のレベルレンジを第１の所定レベルレンジに変換する第１のレベルレンジ変換ステップと、
当該レベルレンジ変換ステップによりレベルレンジを変換された映像情報を符号化する符号化ステップと、
当該符号化ステップで符号化された映像情報に当該第１の所定レベルレンジを示す識別情報を付加する第１の識別情報付加ステップと、
当該符号化ステップで符号化された映像情報と、当該第１の所定レベルレンジを示す識別情報とを記録媒体に記録する記録ステップと、
当該記録媒体から符号化された映像情報、及びこれに付加された識別情報を再生する再生ステップと、
当該符号化された映像情報を復号化する復号化ステップと、
当該復号化ステップで復号化された映像情報のレベルレンジを第２の所定レベルレンジに変換する第２のレベルレンジ変換ステップと、
当該第２のレベルレンジ変換ステップによりレベルレンジを変換された映像情報に、当該第２の所定レベルレンジを示す識別情報を付加する第２の識別情報付加ステップ
とを具備することを特徴とする映像処理方法。
【請求項１４】
当該入力映像情報にそのレベルレンジを示す識別情報が付加されており、
当該第１のレベルレンジ変換ステップは、当該識別情報を検出するステップと、検出された当該識別情報に従い、当該入力映像情報のレベルレンジを当該第１の所定レベルレンジに変換するステップとを具備する
ことを特徴とする請求項１３に記載の映像処理方法。
【請求項１５】
当該第２のレベルレンジ変換ステップは、当該記録媒体から再生された識別情報に従い、当該復号化ステップで復号化された映像情報のレベルレンジを第２の所定レベルレンジに変換することを特徴とする請求項１３又は１４に記載の映像処理方法。
【請求項１６】
当該識別情報が、白レベルを示す情報と黒レベルを示す情報又は静止画か動画かを示す情報とを具備することを特徴とする請求項１３乃至１５の何れか１項に記載の映像処理方法。
【請求項１７】
入力映像情報のレベルレンジを第１の所定レベルレンジに変換する第１のレベルレンジ変換手段と、
当該レベルレンジ変換手段によりレベルレンジを変換された映像情報を符号化する符号化手段と、
当該符号化手段で符号化された映像情報に当該第１の所定レベルレンジを示す識別情報を付加する第１の識別情報付加手段と、
当該符号化手段で符号化された映像情報と、当該第１の所定レベルレンジを示す識別情報とを記録媒体に記録する記録手段と、
当該記録媒体から符号化された映像情報、及びこれに付加された識別情報を再生する再生手段と、
当該符号化された映像情報を復号化する復号化手段と、
当該復号化手段で復号化された映像情報のレベルレンジを第２の所定レベルレンジに変換する第２のレベルレンジ変換手段と、
当該第２のレベルレンジ変換手段によりレベルレンジを変換された映像情報に、当該第２の所定レベルレンジを示す識別情報を付加する第２の識別情報付加手段
とを具備することを特徴とする映像処理装置。
【請求項１８】
当該入力映像情報にそのレベルレンジを示す識別情報が付加されており、
当該第１のレベルレンジ変換手段は、当該識別情報を検出する手段と、検出された当該識別情報に従い、当該入力映像情報のレベルレンジを当該第１の所定レベルレンジに変換する手段とを具備する
ことを特徴とする請求項１７に記載の映像処理装置。
【請求項１９】
当該第２のレベルレンジ変換手段は、当該記録メディアから再生された識別情報に従い、当該復号化手段で復号化された映像情報のレベルレンジを第２の所定レベルレンジに変換することを特徴とする請求項１７又は１８に記載の映像処理装置。
【請求項２０】
当該識別情報が、白レベルを示す情報と黒レベルを示す情報又は静止画か動画かを示す情報とを具備することを特徴とする請求項１７乃至１９の何れか１項に記載の映像処理装置。
【手続補正２】
【補正対象書類名】明細書
【補正対象項目名】００２５
【補正方法】変更
【補正の内容】
【００２５】
図３は、以上の一連のレベルレンジの推移を示す。この例では、入力レベルレンジがＩＤ＝１のｍｉｎ＝１０、ｍａｘ＝２４０で、ＩＤ判断変換部１０２は、ＩＤ＝０のｍｉｎ＝０、ｍａｘ＝２５５にレベルレンジを変換する。図４（ａ）にその変換特性の一例を示す。ＩＤ判断変換部１０２は、入力値１０から２４０を、０から２５５に変換して出力する。この変換処理は、ルックアップテーブルで実現しても、数値演算で実現しても良い。その後、符号化器１０３による符号化、メディア記録部１０５、記録メディア１０６及びメディア再生部１０７による記録再生、並びに、復号化器１０８による復号化を最適なダイナミックレンジで実行する。ＩＤ判断変換部１０９は、再生ビデオ信号のレベルレンジを、表示器１１１のレベルレンジＩＤ＝２のｍｉｎ＝１５、ｍａｘ＝２５０に変換する。図４（ｂ）は、ＩＤ判断変換部１０９の変換特性の一例を示す。ＩＤ判断変換部１０９は、入力値０から２５５を１５から２５０に変換して出力する。この変換処理は、ルックアップテーブルで実現しても、数値演算で実現しても良い。